(57)【要約】【課題】尿の飛散防止をより確実に実現することができる男子小便器を提供する。【解決手段】男子小便器１０は、前方が開口された立ち壁部１２と、立位姿勢の放尿高さ位置に設けられる、上方が開口された受け部１４と、水洗機構１６とを有する。受け部１４の内部に、立体的人造装飾物である例えば水盤上に配置される草花の像２０が設けられる。また、立ち壁部１２の前方、受け部１４の上方には、小便小僧の像２１が設けられる。草花の像２０は、放尿する際のターゲットとすることができる。水洗機構１６の水出口２４が草花の像２０の任意の複数本に設けられ、水が受け部１４の内部に流出する。【選択図】図１
0003128317.tif 000002
【実用新案登録請求の範囲】
【請求項１】
前方が開口された立ち壁部と、該立ち壁部の下方位置で該立ち壁部から水平方向に延出され、上方が開口された受け部と、水洗機構とを有する男子小便器において、
該受け部を立位姿勢の放尿高さ位置に設けるとともに、該受け部内部に立体的人造装飾物を設けてなることを特徴とする男子小便器。
【請求項２】
前記立体的人造装飾物が水盤上に配置される草花の像であることを特徴とする請求項１記載の男子小便器。
【請求項３】
前記立体的人造装飾物の複数の位置に前記水洗機構の水出口を設けてなることを特徴とする請求項１または２記載の男子小便器。
【考案の詳細な説明】
【技術分野】
【０００１】
本考案は、水洗用男子小便器に関するものである。
【背景技術】
【０００２】
水洗用男子小便器（以下、これを単に男子小便器ということがある。）は、一般に、陶器製のほぼ箱型形状である。男子小便器は、尿が当たる壁面となる前方が開口された立ち壁部と、立ち壁部の最下部位置で立ち壁部から水平方向に延出され、上方が開口された、受け部と、水洗機構とが設けられる。水洗機構は、センサが人の移動を感知して水配管の開閉弁を制御し、通常、立ち壁部の最上部位置に設けられた水出口から流出した水が、立ち壁部を膜状に垂下し、小便器内を洗浄した後、受け部に接続して設けられる排出部から排出される。
【０００３】
男子小便器は、意匠的な工夫がなされるとともに、便器の洗浄効果、節水効果等種々の機能面での工夫も多々なされている。
【０００４】
これらの機能面での工夫のなかでも重要なもののひとつが、尿の飛散防止に関するものである。
尿の飛散防止を図ることを目的として、便器内にターゲットを設けて、このターゲットに向けて放尿することで尿の飛散を防止しようとするアイデアが多く見られる（例えば特許文献１参照）。しかしながら、この場合、小便器の利用者が必ずターゲットに向けて放尿するとは限らず、また、ターゲットに向けて放尿したとしても尿の跳ね返りを防止する抜本的な対策とはならない。
【０００５】
このため、受け部の形状等の工夫が種々なされており、例えば、受け部にキャップ状の飛散防止具を延出することが提案されている（特許文献２参照）。
【特許文献１】特開２００２−１２１８０７号公報
【特許文献２】特開２００６−２４９７４７号公報
【考案の開示】
【考案が解決しようとする課題】
【０００６】
しかしながら、上記特許文献２のような受け部の工夫を行ったとしても、便器利用者の立位姿勢での放尿位置は、通常、受け部からかなり離れた高い位置にあるため、勢いよく落下する尿が受け部に到達するまでに飛散してしまい、尿の飛散防止を確実に実現するには必ずしも十分ではないと考えられる。
【０００７】
本考案は、上記の課題に鑑みてなされたものであり、尿の飛散防止をより確実に実現することができる男子小便器を提供することを目的とする。
【課題を解決するための手段】
【０００８】
本考案に係る男子小便器は、前方が開口された立ち壁部と、該立ち壁部の下方位置で該立ち壁部から水平方向に延出され、上方が開口された受け部と、水洗機構とを有する男子小便器において、該受け部を立位姿勢の放尿高さ位置に設けるとともに、該受け部内部に立体的人造装飾物を設けてなることを特徴とする。
【０００９】
また、本考案に係る男子小便器は、前記立体的人造装飾物が水盤上に配置される草花の像であることを特徴とする。
【００１０】
また、本考案に係る男子小便器は、前記立体的人造装飾物の複数の位置に前記水洗機構の水出口を設けてなることを特徴とする。
【考案の効果】
【００１１】
本考案に係る男子小便器は、受け部を立位姿勢の放尿高さ位置に設けるため、受け部を立位姿勢の足の高さ位置に設ける従来のものと比べて、尿の飛散をより確実に防止することができる。そして、このとき、受け部内部に立体的人造装飾物を設けるため、立位姿勢の放尿高さ位置に、言い換えれば至近位置に通常の受け部を設けたときに生じうる、例えば圧迫感等の違和感を緩和することができ、さらには立体的人造装飾物が放尿のターゲットともなりうる。
また、本考案に係る男子小便器は、立体的人造装飾物の複数の位置に水洗機構の水出口を設けるため、従来のような尿が落下する立ち壁部を含めて広範囲を洗浄する必要のない小便器において、洗浄を必要とする受け部のみを効率的に洗浄することができる。
【考案を実施するための最良の形態】
【００１２】
本考案に係る男子小便器の実施の形態について図１および図２を参照して説明する。
【００１３】
図１に正面図および図２に側面図を示す本考案に係る男子小便器１０は、前方が開口された立ち壁部１２と、立ち壁部１２の下方の、利用者（図２中、矢印Ａで示す。）の立位姿勢の放尿高さ位置に設けられるとともに立ち壁部１２から水平方向に延出され、上方が開口された受け部１４と、水洗機構１６とを有する。男子小便器１０は、排水管（図示せず。）が収容される支持柱１８によって自立した構造となっている。ただし、これに限らず、男子小便器１０を建造物等の壁面に接して設けて、壁面で男子小便器１０を支持する構造であってもよい。
【００１４】
男子小便器１０は、さらに、受け部１４の内部に、例えば水盤上に配置される草花の像２０が設けられる。ただし、これに限らず、本考案の課題を達成できるものであれば、例えば玩具模型等の適宜の形状の立体的人造装飾物であってもよい。これらの立体的人造装飾物は、例えば彩色を施した陶器製であってもよく、あるいはまた、樹脂や金属等の適宜の材料で形成したものであってもよい。立体的人造装飾物に彩色を施すとき、例えば、感温塗料を用いて、温度によって色が変わるようにしておいてもよい。また、図１および図２、男子小便器１０の立ち壁部１２の前方、受け部１４の上方には、小便小僧の像２１が設けられる。
【００１５】
水洗機構１６の水供給配管２２は、例えば草花の像２０の任意の複数本の内部に延出され、水出口２４から水が受け部１４の内部に流出する構成となっている。草花の像２０に水出口２４を設ける位置や水出口２４の個数等は、洗浄効果や水の飛散の可能性等を考慮して適宜設定することができる。このとき、水出口２４から流出する水を適度の圧力に保持する。ただし、これに限らず、通常の男子小便器のように、立ち壁部１２の上方に水洗機構１６の水出口を設けてもよい。
なお、男子小便器１０を利用した後、男子小便器１０の内部を洗浄するために水洗機構１６を動作させる方式としては、適宜のものを採用することができ、例えば、センサ駆動型であってもよく、また、押しボタン駆動型であってもよい。
【００１６】
本考案に係る男子小便器１０は、受け部１２を立位姿勢の放尿高さ位置に設けるため、受け部を立位姿勢の足の高さ位置に設ける従来のものと比べて、尿の飛散をより確実に防止することができる。そして、このとき、受け部１２の内部に立体的人造装飾物として草花の像２０を設けるため、意匠性に優れ、立位姿勢の放尿高さ位置に通常の受け部を設けたときに生じうる、例えば圧迫感等の違和感を緩和し、さらには親近感をも得ることもできる。また、さらには、立体的人造装飾物が放尿のターゲットともなり、尿の飛散をより確実に防止することができる。
また、本考案に係る男子小便器１０は、草花の像２０の複数の位置に水洗機構の水出口を設けるため、従来のような尿が落下する立ち壁部を含めて広範囲を洗浄する必要のない小便器において、洗浄を必要とする受け部のみを効率的に洗浄することができる。
【図面の簡単な説明】
【００１７】
【図１】本考案に係る男子小便器の正面図である。
【図２】本考案に係る男子小便器の側面図である。
【符号の説明】
【００１８】
１０  男子小便器
１２  立ち壁部
１４  受け部
１６  水洗機構
１８  支持柱
２０  草花の像
２１  小便小僧の像
２２  水供給配管
【図１】
0003128317.tif 000003
【図２】
0003128317.tif 000004